(57)【特許請求の範囲】
【請求項１】
風船や救命用具などの流体封入物体の開口部に取り付けた状態で使用される栓構造において、
封入用の流体が外部から送られる入力部と、
前記入力部に続く部分であって発光体が収納された内部空間と、
前記内部空間に収納されている前記発光体が前記流体とともに前記流体封入物体の中に入っていくときの、当該内部空間の出口として作用する出力部と、
前記流体が前記入力部に送られていない状態では前記出力部を塞いで前記発光体の前記内部空間からの漏出を防止し、かつ、前記入力部に送られる前記流体の圧力に基づいて当該出力部の塞ぎ状態を開放するカバー部材と、
を備えたことを特徴とする栓構造。
【請求項２】
風船や救命用具などの流体封入物体の開口部に取り付けた状態で使用される栓構造において、
封入用の流体が外部から送られる入力部と、
前記入力部に続く部分であって、発光体およびこれを粘性状態にするための粘着剤が収納された内部空間と、
前記内部空間に収納されている前記発光体が前記流体とともに前記流体封入物体の中に入っていくときの、当該内部空間の出口として作用する出力部と、
を備えたことを特徴とする栓構造。
【請求項３】
前記入力部に逆止弁を設けた、
ことを特徴とする請求項１または２記載の栓構造。
【請求項４】
前記入力部に封止用の蓋部を設けた、
ことを特徴とする請求項１乃至３記載の栓構造。
【請求項５】
前記発光体として蓄光体を用い、
前記蓄光体に対する光源、および当該光源を選択的に動作状態にするためのスイッチを付加した、
ことを特徴とする請求項１乃至４記載の栓構造。
【発明の詳細な説明】
【０００１】
【発明の属する技術分野】
本発明は、風船や救命用具などのようにその内部に流体を封入して使用する製品の栓構造に関し、特に風船などの内部に蓄光体などの発光体を気体とともに送り込むことができるようにした栓構造に関する。
【０００２】
【従来の技術】
風船、アドバルーン、浮き輪、ゴムボート、ボールや救命具など（以下、必要に応じて「流体封入物体」という）は、その内部に流体（水素、ヘリウム、空気あるいは液体など）を封入した状態で使用され、装飾効果や宣伝効果を高めるため、その外面の色彩や形状に特徴を持たせることがある。
【０００３】
例えば、緊急時に使用される救命具などは夜間や遠方からでもその存在が確認されなければならないので、赤、黄、橙、蛍光色などのように印象に残りやすい模様、彩色を用いている。
【０００４】
【本発明が解決しようとする課題】
しかしながら、このような彩色をしたものは、明るい環境下でのみ明確にまた確実に認識され照明のない夜間などのように暗い環境下では認識されにくいという問題点があった。救命具などのように緊急性を要するものにおいてはこのことが顕著に表れる。
【０００５】
さらには、使用時間の経過にともなって流体封入物体の擦れや軽い損傷などのため、その外周面の明確さ、鮮やかさの程度が低下していくという問題点があった。
【０００６】
そこで、本発明では、自ら鮮やかな色彩で発光する発光体を流体封入物体中に入れることにより、暗い環境下での視認性を高めるとともに、その装飾効果を長時間にわたって維持できるようにすることを目的とする。
【０００７】
【課題を解決するための手段】
これを達成するため、本発明では次の構成からなる栓構造を用いる。
（１）風船や救命用具などの流体封入物体の開口部に取り付けた状態で使用される栓構造において、
封入用の流体が外部から送られる入力部と、
前記入力部に続く部分であって発光体が収納された内部空間と、
前記内部空間に収納されている前記発光体が前記流体とともに前記流体封入物体の中に入っていくときの、当該内部空間の出口として作用する出力部と、
前記流体が前記入力部に送られていない状態では前記出力部を塞いで前記発光体の前記内部空間からの漏出を防止し、かつ、前記入力部に送られる前記流体の圧力に基づいて当該出力部の塞ぎ状態を開放するカバー部材と、
を備える。
（２）風船や救命用具などの流体封入物体の開口部に取り付けた状態で使用される栓構造において、
封入用の流体が外部から送られる入力部と、
前記入力部に続く部分であって、発光体およびこれを粘性状態にするための粘着剤が収納された内部空間と、
前記内部空間に収納されている前記発光体が前記流体とともに前記流体封入物体の中に入っていくときの、当該内部空間の出口として作用する出力部と、
を備える。
（３）上記（１），（２）において、
前記入力部に逆止弁を設ける。
（４）上記（１）〜（３）において、
前記入力部に封止用の蓋部を設ける。
（５）上記（１）〜（４）において、
前記発光体として蓄光体を用い、
前記蓄光体に対する光源、および当該光源を選択的に動作状態にするためのスイッチを設ける。
【０００８】
このように、本発明は、流体封入物体の開口部に取り付けられる栓構造の内部に蓄光体などの発光体を入れておき、この流体封入物体への流体供給時には当該発光体もその中に送り込むことができるようにしたものである。
【０００９】
【発明の実施の形態】
本発明の実施の形態を、図１乃至図６を用いて説明する。なお、以下の記載では、説明の便宜上、流体封入物体の一例として風船を用いることにする。
【００１０】
図１は栓構造の断面を示す説明図、図２は風船に気体を封入している途中の状態を示す説明図、図３は風船に気体を封入した後の状態を示す説明図である。
【００１１】
これらの図において、
１は、栓構造
１ａは、栓構造１の入力部
１ｂは、栓構造１の出力部
１ｃは、入力部１ａに設けた逆止弁
１ｄは、発光体収納用の内部空間
１ｅは、風船取付用の凹部
１ｆは、入力部１ａに対するキャップ
１ｇは、糸保持部
１ｈは、ホース取付用の凸部
２は、発光体
３は、ビニール系樹脂など柔らかい材質で作った薄いフィルム（カバー部材）
４は、風船（流体封入物体）
５は、風船４を栓構造１に縛りつけるための糸
６は、気体封入用のホース
７は、封入する気体（流体）
をそれぞれ示している。
【００１２】
この発光体２は、自ら発光する性質を有するものであり、例えば、
・発光時間の短い蛍光体
・発光時間の長い蓄光体
・発光時間の長い夜光体
などを用いる。なお、夜光体は、蛍光体や蓄光体に放射性同位元素を添加したものである。
【００１３】
蛍光体、蓄光体としては、
・方解石、金剛石、蛍石など天然に産出される鉱物
・ＺｎＳ、ＣａＳまたはアルカリ土類金属の硫化物に第Ｉ族または第Ｖ族の金属を活性化不純物として混入した人工の顔料
などがある。
【００１４】
栓構造１の内部空間１ｄの入力部１ａには逆止弁１ｃを有し、また内部空間１ｄの出力部１ｂの外面には薄いフィルム３を貼りつけているので、内部空間１ｄに入っている発光体２が図１の非使用状態において漏出することはない。
【００１５】
次に、図２に示すように、栓構造１に風船４とホース６とを設けた状態、すなわち凹部１ｅに風船４の開口部を糸５で取り付け、また凸部１ｈにホース６を嵌めた状態にしてホース６から矢印方向に気体を送ることにより、内部空間１ｄに収納されていた発光体２も風船４の内部に運ばれる。
【００１６】
このとき、気体７の圧力によって、
・入力部１ａに設けた逆止弁１ｃは開き、
・出力部１ｂに粘着していたフィルム３は吹き飛ばされる。
【００１７】
なお、出力部１ｂにフィルム３を粘着する代わりに当該出力口に弁構造を設けてもよく、また風船取付用の糸５に代えて針金の入った紐や輪ゴムなどを用いてもよく、また糸５を用いずに栓構造１の周面を流体封入物体（風船４）に接着、溶着などするようにしてもよい。
【００１８】
逆止弁１ｃは、風船４内に充填された気体７が入力部１ａから漏出することを阻止している。また、（ホース６を外した状態で）入力部１ａにキャップ１ｆを取り付けることにより当該漏出の防止をより確実なものにすることができる。
【００１９】
栓構造１は例えば合成樹脂などを成形することにより作成され、この作成時に各種発光体を混入して成形すれば風船４の内部に加えて栓構造１自身からも発光させることがてきる。
【００２０】
図４乃至図６は発光体として蓄光体を用いた場合の説明図であり、図４は栓構造の断面状態〔 (a)は平面図、 (b)は縦断面図、 (c)は底面図〕、図５は気体封入終了後の風船の光源点灯時、図６は気体封入終了後の風船の発光時をそれぞれ示している。
【００２１】
新たな構成要素は、粉末状の蓄光体２１、粘着剤２２、蓄光体２１に対する光源３１、光源３１の電源３２、光源３１に対するスイッチ３３であり、その他の構成要素については図１乃至図３の参照番号をそのまま使用している。なお、粘着剤２２としては例えばベビーオイルを用いる。
【００２２】
この実施の形態では、自然光が得られない暗い環境においても、利用者がスイッチ３３を任意に操作してそれの光源３１を動作させることにより蓄光体２１を蓄光状態、すなわち発光状態にすることができる。
【００２３】
また、栓構造１の内部空間１ｄには粉末状の蓄光体２１の他に粘着剤２２も入っており、栓構造１の非使用状態（まだ気体を入力部１ａに送っていない状態）のときにこれを例えば逆さにしたとしても、粘着剤２２によっていわば粘性状態になっている蓄光体２１が出力部１ｂから漏出する程度は小さいので、出力部１ｂに漏出防止用のフィルム３を貼ることを省略してもよい。
【００２４】
次に、栓構造１に風船４やホース６を取り付けてから気体を入力部１ａに送ると、内部空間１ｄに収納されていた蓄光体２１および粘着剤２２が風船４の中に入っていき、蓄光体２１は粘着剤２２の粘着作用によって主に（図５および図６に示すように）風船４の内側表面に付着する。なお、以上の粘着剤２２の各作用は他の発光体の場合にも適用できることは勿論である。
【００２５】
【発明の効果】
本発明は、このように、風船、アドバルーン、浮き輪、ゴムボート、ボールや救命具などの各種の流体封入物体に取り付けて使用する栓構造の中に各種発光体を入れておき、当該栓構造に風船などを取り付けてそこに気体を封入するときには当該発光体も一緒に入っていくようにしているので、流体封入物体の位置・移動表示機能や装飾・宣伝機能をより有効なものにすることができる。これは、夜間などの暗い状況下で特に有効である。
【００２６】
また、これら発光体は流体封入物体の内側に存在するため、時間経過などによる物体外周面に擦れや軽い損傷が発生したとしても前記機能を当初のままに持続させることができる。
【００２７】
また、発光体として蓄光体を用い、それへの蓄光開始のタイミングを選択することにより、流体封入物体を発光させる時期を利用者の方で任意に調整することができる。
【００２８】
また、発光体とともに粘着剤を栓構造の中に収納しておき、使用時にはこれらがともに流体封入物体に入り込むようにする、すなわち粘性状態ともいえる発光体を収納・移動させることにより、栓構造の出力部に漏出防止用のカバー部材を取り付けることを省略し、さらには発光体の大半を流体封入物体の内周面に付着させて外部への発光効率の向上を図ることができる。
【図面の簡単な説明】
【図１】栓構造の断面状態を示す説明図である。
【図２】風船に気体を封入している途中の状態を示す説明図である。
【図３】風船に気体を封入した後の状態を示す説明図である。
【図４】蓄光体を用いた栓構造の断面状態〔 (a)は平面図、 (b)は縦断面図、 (c)は底面図〕を示す説明図である。
【図５】蓄光体を用いた場合の、気体封入終了後の風船の光源点灯時を示す説明図である。
【図６】蓄光体を用いた場合の、気体封入終了後の風船の発光状態をを示す説明図である。
【符号の説明】
１・・・栓構造
１ａ・・入力部
１ｂ・・出力部
１ｃ・・逆止弁
１ｄ・・内部空間
１ｅ・・段部
１ｆ・・キャップ
１ｇ・・糸通し部
２・・・発光体
３・・・フィルム（カバー部材）
４・・・風船（流体封入物体）
５・・・糸
６・・・ホース
７・・・気体（流体）
２１・・蓄光体
２２・・粘着剤
３１・・蓄光体に対する光源
３２・・電源
３３・・スイッチ
【図１】
0003824714.tif 000002
【図２】
0003824714.tif 000003
【図３】
0003824714.tif 000004
【図４】
0003824714.tif 000005
【図５】
0003824714.tif 000006
【図６】
0003824714.tif 000007